(57)【要約】【課題】円弧状に形成されたパトローネ室又はフィルム室の外壁面と撮影光路遮光筒の外壁面との間に形成される空間の最も狭くなる位置に絞りを設けることにより、コンパクトな構成でデータをクリアに写し込むことができるカメラのデータ写し込み装置を提供することを目的とする。【解決手段】円弧状に形成されたフィルム室４０の外壁面４０Ａと撮影光路遮光筒３６の外壁面３６Ａとの間に形成される空間４６の最も狭くなる位置に絞り６２を設け、その直後に結像レンズ６４を設置する。これにより、狭い空間ながら絞り６２の前後は空間が広がるため、フレアの発生を効果的に抑制することができ、フィルムＦにデータをクリアに写し込むことができる。【選択図】　　　図４
2004054187.tif 000002
【特許請求の範囲】
【請求項１】
円弧状に形成されたパトローネ室又はフィルム室の外壁面と撮影光路遮光筒の外壁面との間に形成される空間に複数の発光点を有する発光手段と、該発光手段からの光束をフィルム上に結像させる結像レンズとを設置し、前記発光手段の各発光点を前記フィルムの走行に同期させて発光させることにより、前記フィルムに所定のデータを写し込むカメラのデータ写し込み装置において、
前記パトローネ室又はフィルム室の外壁面と前記撮影光路遮光筒の外壁面との間に形成される空間の幅が最も狭くなる位置に絞りを設けたことを特徴とするカメラのデータ写し込み装置。
【請求項２】
前記絞りの直後に前記結像レンズを設置したことを特徴とする請求項１に記載のカメラのデータ写し込み装置。
【請求項３】
前記結像レンズは、前記パトローネ室又はフィルム室の内壁面に形成された装着穴に前記パトローネ室又はフィルム室側から圧入して設置されることを特徴とする請求項２に記載のカメラのデータ写し込み装置。
【発明の詳細な説明】
【０００１】
【発明の属する技術分野】
本発明はフィルムに日付等の情報を写し込むカメラのデータ写し込み装置に関する。
【０００２】
【従来の技術】
従来、この種のデータ写し込み装置としては、縦に並べた複数個の発光素子をフィルムの走行に同期させて選択的に発光させ、この発光素子からの光束を光学系を介してフィルム上に結像させることにより、撮影日時等の撮影データをフィルム上に写し込む装置が知られている。
【０００３】
しかしながら、従来のデータ写し込み装置は、発光素子が実装された基板をアパーチャの近傍に配設しているため、この基板の配設に必要な空間をアパーチャの近傍に確保しなければならず、カメラの寸法、特に横方向での寸法が大型化するという問題があった。
【０００４】
このような問題を解決すべく特開平７−２９５０６１号公報では、カメラのフィルム室と撮影光路の間にデータ写し込み光路を形成し、そのデータ写し込み光路の一端部をフィルムに臨ませ、他端部に発光素子が実装された基板を配置している。そして、この特開平７−２９５０６１号公報のデータ写し込み装置では、カメラ内部の更なる省スペース化を図るために、発光素子からの光束をミラーとプリズムを用いて複数回屈折させることにより、データ写し込み光路をフィルム室の湾曲した壁面に沿って形成している。
【０００５】
また、特開２０００−３５２７５６号公報では、カメラのフィルム室と撮影光路の間にデータ写し込み光路を形成するとともに、発光素子からの光束をフィルム上に結像させるための結像レンズをフィルム面に対して傾けて設置することにより、カメラ内部の省スペース化を図っている。
【０００６】
【発明が解決しようとする課題】
しかしながら、特開平７−２９５０６１号公報のようにミラーやプリズム等を用いると、部品点数が多くなるとともに構造が複雑になるという欠点がある。
【０００７】
また、特開２０００−３５２７５６号公報の方法では、結像レンズを傾けて保持しなければならないため、製造が難しいという欠点がある。
【０００８】
また、特開平７−２９５０６１号公報や特開２０００−３５２７５６号公報のように、フィルム室と撮影光路との間の狭い空間にデータ写し込み光路を形成すると、フレアが発生し、写し込んだデータに滲みが生じるという欠点がある。
【０００９】
本発明は、このような事情に鑑みてなされたもので、コンパクトな構成でデータをクリアに写し込むことができるカメラのデータ写し込み装置を提供することを目的とする。
【００１０】
【課題を解決するための手段】
請求項１に係る発明は、前記目的を達成するために、円弧状に形成されたパトローネ室又はフィルム室の外壁面と撮影光路遮光筒の外壁面との間に形成される空間に複数の発光点を有する発光手段と、該発光手段からの光束をフィルム上に結像させる結像レンズとを設置し、前記発光手段の各発光点を前記フィルムの走行に同期させて発光させることにより、前記フィルムに所定のデータを写し込むカメラのデータ写し込み装置において、前記パトローネ室又はフィルム室の外壁面と前記撮影光路遮光筒の外壁面との間に形成される空間の幅が最も狭くなる位置に絞りを設けたことを特徴とするカメラのデータ写し込み装置を提供する。
【００１１】
本発明によれば、円弧状に形成されたパトローネ室又はフィルム室の外壁面と撮影光路遮光筒の外壁面との間に形成される空間の幅が最も狭くなる位置に絞りを設けることにより、狭い空間ながら絞りの前後は空間が広がるため、フレアの発生を効果的に抑制することができる。これにより、フィルムにデータをクリアに写し込むことができる。
【００１２】
また、請求項２に係る発明は、前記目的を達成するために、前記絞りの直後に前記結像レンズを設置したことを特徴とする請求項１に記載のカメラのデータ写し込み装置を提供する。
【００１３】
本発明によれば、絞りと同様にパトローネ室又はフィルム室の外壁面と撮影光路遮光筒の外壁面との間に形成される空間の最も狭くなる位置に結像レンズを設けることにより、結像レンズを傾けたりすることなく簡単に取り付けることができる。
【００１４】
また、請求項３に係る発明は、前記目的を達成するために、前記結像レンズは、前記パトローネ室又はフィルム室の内壁面に形成された装着穴に前記パトローネ室又はフィルム室側から圧入して設置されることを特徴とする請求項２に記載のカメラのデータ写し込み装置を提供する。
【００１５】
本発明によれば、パトローネ室又はフィルム室の壁面の肉厚が薄いような場合に結像レンズをパトローネ室又はフィルム室側から装着穴に圧入して設置することにより、精度よくレンズを保持することができる。
【００１６】
【発明の実施の形態】
以下、添付図面に従って本発明に係るカメラのデータ写し込み装置の好ましい実施の形態について詳説する。
【００１７】
図１は、本発明に係るデータ写し込み装置が内蔵されたカメラの正面斜視図である。同図に示すように、カメラ１０の正面には、ほぼ中央位置に沈胴式のズームレンズ１２が設けられている。ズームレンズ１２の上方には、ＡＦ窓１４、１４、測光窓１６、ファインダ窓１８、ストロボ２０が設けられている。また、カメラ１０の上面には、シャッターボタン２２、電源ボタン２４、液晶パネル２６が設けられている。
【００１８】
図２は、図１で示したカメラ１０の背面斜視図である。カメラ１０の背面には、開閉自在な裏ブタ２８が設けられており、裏ブタ２８の上部には、ファインダ接眼部３０とズームレバー３２が設けられている。
【００１９】
図３は、カメラ１０の裏ブタ２８を開いた状態である。同図に示すように、裏ブタ２８の内側には圧板３４が設けられている。この裏ブタ２８によって遮蔽されるカメラ本体１０Ａの背面には、ほぼ中央位置に撮影光路遮光筒（ズームレンズの固定筒）３６が設置されており、その両側にパトローネ室３８とフィルム室４０とが設けられている。フィルムのパトローネは、パトローネ室３８に装填され、パトローネ室３８とフィルム室４０と間に形成されたフィルム走行路４２を走行してフィルム室４０に設けられたスプール４４に巻き取られる。
【００２０】
撮影光路遮光筒３６とフィルム室４０との間には、図４に示すように、空間４６が形成されている。この空間４６は、断面がほぼ直線状に形成された撮影光路遮光筒３６の外壁面３６Ａと、断面が円弧状に形成されたフィルム室４０の外壁面４０Ａとの間に形成されており、ほぼ中央の位置から両端に向かって幅が広くなるように形成されている。データ写し込み装置４８は、この空間４６に設置されている。
【００２１】
図４に示すように、空間４６のカメラ背面側の端部は、フィルム走行路４２を構成するカメラ本体フレーム５０で遮蔽されており、カメラ本体フレーム５０の一部には、データ写し込み窓５２が形成されている。このデータ写し込み窓５２は、フィルム走行路４２を走行するフィルムＦに臨んで形成されている。
【００２２】
一方、空間４６のカメラ正面側の端部は、基板支持プレート５４で遮蔽されている。基板支持プレート５４には基板５８が取り付けられており、基板５８には複数個（例えば７個）のＬＥＤ５６が実装されている。ＬＥＤ５６はフィルムＦの走行方向と直行する方向に一列に並べて配設されており、フィルムＦに写し込むためのデータを形成する光束を照射する。ＬＥＤ５６から照射された光束は、基板支持プレート５４に形成されたスリット６０を介して空間４６内に照射され、その空間４６内に設けられた絞り６２と結像レンズ６４を介してデータ写し込み窓５２からフィルムＦに到達する。この際、各ＬＥＤ５６は、図示しない制御装置によって点滅のタイミングを制御され、制御装置は撮影日時等のフィルムＦに記録されるべき撮影データに応じたタイミングで各ＬＥＤ５６をフィルムＦの走行に同期させて発光させる。
【００２３】
図４に示すように、空間４６内に設置される絞り６２は、空間４６の最も狭くなる位置、すなわち、撮影光路遮光筒３６の外壁面３６Ａとフィルム室４０の外壁面４０Ａとが最も近づく位置（ほぼ中央の位置）に形成されている。この絞り６２は、空間４６を前後に仕切る仕切り壁６６に所定径の孔として形成されており、結像レンズ６４は、この絞り６２の直後に配置されている。この結像レンズ６４は、空間４６のカメラ背面側の端部から挿入し、撮影光路遮光筒３６の外壁面３６Ａとフィルム室４０の外壁面４０Ａとの間に圧入されて設置されている。
【００２４】
前記のごとく構成された本実施の形態のデータ写し込み装置の作用は次のとおりである。
【００２５】
一駒の撮影が終了し、フィルムＦの巻き上げが開始されると、制御装置は、そのフィルムＦの走行に同期させて各ＬＥＤ５６を所定のタイミングで発光させる。ＬＥＤ５６から照射された光束は、基板支持プレート５４に形成されたスリット６０を介して空間４６内に照射され、その空間４６内に設けられた絞り６２と結像レンズ６４を介してデータ写し込み窓５２からフィルムＦに到達し、そのフィルムＦ上に結像される。この結果、フィルムＦ上に所定の撮影データが写し込まれる。
【００２６】
ここで、本実施の形態のデータ写し込み装置４８では、円弧状に形成されたフィルム室４０の壁面を利用して、空間４６の幅が最も狭くなる位置に絞り６２を設けている。これにより、狭い空間ながら絞り６２の前後は空間が広がるため、フレアを効果的に抑制することができ、滲み等を生じさせることなく、フィルムＦにデータをクリアに写し込むことができる。
【００２７】
また、結像レンズ６４を傾けて保持したり、ミラー等を設置したりする必要もないので、構造がシンプルになり、容易に製造することができる。
【００２８】
図５は、本発明に係るデータ写し込み装置の第２の実施の形態の要部の構成を示す断面図である。なお、上述した実施の形態と同一又は類似部材には同一符号が付されている。
【００２９】
上述した実施の形態では、結像レンズ６４を空間４６のカメラ背面側の端部から挿入し、撮影光路遮光筒３６の外壁面３６Ａとフィルム室４０の外壁面４０Ａとの間に圧入して設置していた。
【００３０】
しかしながら、更なる小型化のために、フィルム室４０を更に中央に寄せて配置すると、図５に示すように、フィルム室４０の壁面の肉厚が薄くなり、結像レンズ６４を精度よく保持することができなくなる。
【００３１】
そこで、本実施の形態では、フィルム室４０の内壁面に結像レンズ６４の装着穴７０を形成し、この装着穴７０に結像レンズ６４をフィルム室側から圧入して結像レンズ６４を設置する。
【００３２】
結像レンズ６４の装着穴７０は、結像レンズ６４の外形とほぼ同じ寸法で形成し、フィルム室４０の内壁面から空間４６内に貫通して形成する。装着穴７０から空間４６内に挿入された結像レンズ６４は、図６に示すように、空間４６の上面及び下面から突出して形成された凸部７２、７２と仕切り壁６６との間に圧入されて、絞り６２の直後に保持される。
【００３３】
このように、フィルム室４０の内壁面に形成された装着穴７０から空間４６内に結像レンズ６４を圧入して設置することにより、フィルム室４０の壁面の肉厚が薄い場合であっても、結像レンズ６４を精度よく保持することができる。そして、このようにフィルム室４０の壁面の肉厚を薄くできることにより、フィルム室４０を中央に寄せて配置することができるようになり、カメラのコンパクト化が可能になる。
【００３４】
なお、上述した実施の形態では、フィルム室４０と撮影光路遮光筒３６との間に形成した空間４６にデータ写し込み装置を設置した例で説明しているが、パトローネ室３８と撮影光路遮光筒３６の間に同様の空間を形成し、この空間にデータ写し込み装置を設置するようにしてもよい。この場合も上記同様に円弧状に形成されるパトローネ室３８の壁面を利用して、空間の幅が最も狭くなる位置に絞りを設ける。
【００３５】
【発明の効果】
以上説明したように、本発明によれば、円弧状に形成されたパトローネ室又はフィルム室の外壁面と撮影光路遮光筒の外壁面との間に形成される空間の最も狭くなる位置に絞りを設けることにより、狭い空間ながら絞りの前後は空間が広がるため、フレアの発生を効果的に抑制することができる。これにより、データをクリアに写し込むことができる。また、構造がシンプルであるため、容易に製造することができる。
【図面の簡単な説明】
【図１】カメラの正面斜視図
【図２】カメラの背面斜視図
【図３】裏ブタが開かれたカメラの背面斜視図
【図４】第１の実施の形態のデータ写し込み装置の構成を示す断面図
【図５】第２の実施の形態のデータ写し込み装置の構成を示す断面図
【図６】図５の６−６断面図
【符号の説明】
１０…カメラ、１２…ズームレンズ、１４…ＡＦ窓、１６…測光窓、１８…ファインダ窓、２０…ストロボ、２２…シャッターボタン、２４…電源ボタン、２６…液晶パネル、２８…裏ブタ、３０…ファインダ接眼部、３２…ズームレバー、３４…圧板、３６…撮影光路遮光筒、３６Ａ…撮影光路遮光筒の外壁面、３８…パトローネ室、４０…フィルム室、４０Ａ…フィルム室の外壁面、４２…フィルム走行路、４４…スプール、４６…空間、４８…データ写し込み装置、５０…カメラ本体フレーム、５２…データ写し込み窓、５４…基板支持プレート、５６…ＬＥＤ、５８…基板、６０…スリット、６２…絞り、６４…結像レンズ、７０…装着穴、７２…凸部、Ｆ…フィルム
【図１】
2004054187.tif 000003
【図２】
2004054187.tif 000004
【図３】
2004054187.tif 000005
【図４】
2004054187.tif 000006
【図５】
2004054187.tif 000007
【図６】
2004054187.tif 000008